Podtech/llm-jp-corpus-v4-ja_patent huggingface dataset:
(57)【要約】      （修正有）【課題】電動機用始動装置制御用開閉器小型化を目的にした回路を提供する。【解決手段】特殊コンドルファ始動装置の回路中に中間磁気回路制御用開閉器５と並列に限流抵抗Ｒ付き開閉器８を接続する事で、電動機７が始動電圧から加速電圧に昇圧する際に発生する大きな遮断電流を分流する事で、中間磁気回路制御用開閉器５の遮断電流軽減と小型化が可能と成る。【選択図】図２
0003194479.tif 000002
【実用新案登録請求の範囲】
【請求項１】
本考案は、特殊コンドルファ始動装置の回路中に中間磁気回路制御用開閉器と並列に限流抵抗付き開閉器を追加接続する事で、電動機が始動電圧から加速電圧に昇圧する際発生する大きな遮断電流を分流する事で、中間磁気回路制御用開閉器の遮断電流軽減と小型化が可能と成る事を特徴とした電動機用始動装置制御用開閉器小型化を目的にした回路。
【考案の詳細な説明】
【技術分野】
【０００１】  本考案は、エンジン発電機用電動機始動装置の開閉器遮断容量増強を目的とした電動機用始動装置制御用開閉器の小型化回路に関連するものである。
【背景技術】
【０００２】  従来エンジン発電機用電動機始動装置の中に、特殊コンドルファと言う機種が有るがその機能は電動機始動中磁気回路の変更により、電動機印加電圧を無瞬断で切換が出来る技術が知られているが、磁気回路変更時に制御開閉器は大きな電流を遮断しなければならず、大型開閉器を使っている（特許文献１参照）。
【先行技術文献】
【特許文献】
【０００３】
【特許文献１】特許公開  昭５５−８８５８７号公報
【考案の概要】
【考案が解決しようとする課題】
【０００４】  特殊コンドルファ始動装置の制御回路の一部に、大きな始動電流が発生中に磁気回路制御の為、大電流を遮断しなければならない開閉器が有り、十分な遮断容量を確保しなければ開閉器の焼損及び破損事故に波及する恐れが有る為、大型開閉器を使用している。
【課題を解決するための手段】
【０００５】  上記目標を達成する為本考案は、特殊コンドルファ始動装置の中間磁気回路制御用開閉器と並列に限流抵抗器付き開閉器を接続し、中間磁気回路制御用開閉器の電流遮断の時、中間磁気回路制御用開閉器開路直後に限流抵抗器付き開閉器を開路する。
【考案の効果】
【０００６】  上記の回路に依り中間磁気回路制御用開閉器が電流遮断する時には、並列に限流抵抗器付き開閉器が接続されており、中間磁気回路制御用開閉器の大きな遮断電流は分流され大幅に軽減する事が出来、中間磁気回路制御用開閉器の小型経済的でなお且つ確実な電流遮断が確保できる。
【図面の簡単な説明】
【０００７】
【図１】従来の単線主回路図
【図２】本考案の単線主回路図
【考案を実施するための形態】
【０００８】  以下、本考案の具体的に実施する形態を説明する
本考案は、特殊コンドルファ始動装置の中間磁気回路制御用開閉器４２−３（５）遮断特性の向上と小型化を目的とした考案で、その制御手順は、電動機（７）始動時ニートラル開閉器６（６）と中間磁気回路制御用開閉器４２−３（５）を投入後、始動用開閉器４２−１（３）を投入する事で、電源（１）電圧の５０％を電動機（７）に短時間印加し発電機の電圧復帰後、中間磁気回路制御用開閉器４２−３（５）を開き、その直後上部磁気回路制御用開閉器４２−２（４）を投入する事で電動機（７）印加電圧を瞬断する事無く７０％電圧が電動機（７）に供給され、負荷機械の回転上昇後ニュートラ開閉器６（６）を開き直後に運転用主開閉器５２（２）を投入する事で、１００％電圧が電動機（７）に印加され定常運転状態となる。
安全で経済的な制御を行う上で唯一大きな電流を遮断しなければならない、のが中間磁気回路制御用開閉器４２−３（５）である。
そこで本考案は制御回路の中に中間磁気回路制御用開閉器４２−３（５）と平列に限流抵抗Ｒ（７）付き開閉器４２−４（８）を追加し、中間磁気回路制御用開閉器４２−３（５）の開路直後に限流抵抗Ｒ（７）付き開閉器４２−４（８）が開路する事で、中間磁気回路制御用開閉器４２−３（５）は大きな遮断電流を分流する事により小型化と安全の確保が出来る。
【符号の説明】
【０００９】１  電源
２  ５２
３  ４２−１
４  ４２−２
５  ４２−３
６  ６
７  電動機
８  ４２−４
９  Ｒ
【図１】
0003194479.tif 000003
【図２】
0003194479.tif 000004
(57)【要約】      （修正有）【課題】片手でも簡単に取り外しができ、また、不自由な指先でも簡単に開閉ができるタッチ・ボタンを提供する。【解決手段】アメリカンホックの構造を応用し、内側の凸凹を取り除きフレームのみにして面テープに置き換える。内側を面テープにする事によって、簡単に片手で洋服類の開閉が出来る。また、表面のボタンにはカラフルな色付けやデザインをする事が出来るため用途が広がる。【選択図】図１
0003194477.tif 000002
【実用新案登録請求の範囲】
【請求項１】
下記の（１〜２）構造を有するタッチ・ボタンであって、
１． アメリカンホックの構造を応用し、内側の凸凹部分を取り除きフレームの
みにして、その内側に面ファスナー（商標=マジック・テープ）を装着する構造、
２． アメリカンホックの内側を面ファスナーにしたタッチ・ボタンを洋服類に専用道具で取り付け、洋服類の開閉を容易にできる機能になっている。
【考案の詳細な説明】
【技術分野】
【０００１】
本考案は洋服類に専用道具でタッチ・ボタンを取り付けて、洋服の開閉を片手でも出来る構造である。アメリカンホックを応用して、アメリカンホックの内側の凸凹を取り除きフレームのみにして、その内側に面ファスナーを装着する構造になっている。洋服類の上前にボタンと上型に装着させた面ファスナー（片方）
を取り付けて、下前にツメと下型に装着させた面ファスナー（もう片方）を取り付ける。
【考案の概要】
【考案が解決しようとする課題】
【０００２】
解決しようとする問題点は、従来のボタン類、スナップ類やドットボタン類を使いこなす事は、幼少の子供や指先が思うように動かない人や高齢者達にはとても難しい。そこで、片手でも簡単に取り外しができ、また、不自由な指先でも簡単に開閉ができる接着型のボタンができれば、自分で洋服の着脱ができる。
また、既存の面ファスナーのボタン類（商標=マジック・ボタン類）は、製品に直接縫い付けるか熱接着なので、洋服類の表面に縫い目や接着の跡が出てしまいファッション性は望めない。タッチ・ボタンが出来れば、用途が広がりファッション性も高くなり、より良い生活が望める。
【課題を解決するための手段】
【０００３】
本考案は、アメリカンホックを応用して、内側の凸凹部分の所を面ファスナーに置き換える事で、洋服類の開閉を簡単に出来る事を最も主要な特徴とする。
その為、幼少の子供や指先が不自由な人や高齢者達にも簡単に洋服類の開閉ができる為、自立できる手助けになる。また、アメリカンホックのテクノロジーを応用しているので、洋服の表面にも縫い目などが無く、ボタンやドットボタンのようにカラフルな色付けやデザインができる事も特徴である。その為にファッション性も高める事ができ、幅広く活用する事ができる。
【考案の効果】
【０００４】
本考案は、アメリカンホックのテクノロジーを応用して、内側に面ファスナーを置き換える事によって、洋服などの開閉を簡単に出来る事で、幼少の子供や指先が不自由な人や高齢者達が自立する為の貢献ができる。また、従来のボタンやドットボタンのようにカラフルな色付けやデザインができ幅広く活用できる。
洋服類のみならず、靴や生活雑貨にも応用ができ新しい接着ボタンの誕生になる。
【図面の簡単な説明】
【０００５】
【図１】タッチ・ボタン    上前の構造説明
【図２】タッチ・ボタン    上前の構造説明
【図３】タッチ・ボタン    上前の構造説明
【図４】タッチ・ボタン    上前の構造説明
【図５】タッチ・ボタン    上前の構造説明
【図６】タッチ・ボタン    下前の構造説明
【図７】タッチ・ボタン    下前の構造説明
【図８】タッチ・ボタン    下前の構造説明
【図９】タッチ・ボタン    下前の構造説明
【図１０】タッチ・ボタン    下前の構造説明
【符号の説明】
【０００６】
1.     上前ボタンの平面  カラフルな色付けや柄なども入れられる
2.     上前のボタンのツメ、このツメで洋服と面テープを装着された上型を固定する
3.     洋服類の上前側
4.     面テープ（フック側）、上型に装着させる
5.     上型のツメで面テープを固定し、上前側に装着する
6.     下型のツメで面テープを固定し、下前側に装着する
7.     面テープ（ループ側）、下型に装着させる
8.     洋服類の下前側
9.     下前のボタンのツメ、このツメで洋服と面テープを装着された下型を固定する
10.  下型の裏面  リングの中は洋服の生地が出ている
【図１】
0003194477.tif 000003
【図２】
0003194477.tif 000004
【図３】
0003194477.tif 000005
【図４】
0003194477.tif 000006
【図５】
0003194477.tif 000007
【図６】
0003194477.tif 000008
【図７】
0003194477.tif 000009
【図８】
0003194477.tif 000010
【図９】
0003194477.tif 000011
【図１０】
0003194477.tif 000012
【手続補正書】
【提出日】平成26年8月26日(2014.8.26)
【手続補正１】
【補正対象書類名】実用新案登録請求の範囲
【補正対象項目名】全文
【補正方法】変更
【補正の内容】
【実用新案登録請求の範囲】
【請求項１】
下記の構造を有するタッチ・ボタンであって、
アメリカンホックの構造を応用し、内側の凸凹部分を取り除きフレームのみ
にして、その内側に面ファスナーを装着する構造になっているタッチ・ボタン。
(57)【要約】      （修正有）【課題】衣服に取り外せない袖が付いている場合、その衣服は袖の長さに合った気温・季節にしか着用できないが、これを解消するため、様々な気温・季節にも着用できる袖部分離式衣服セットを提供する。【解決手段】袖無しの胴体部２と、前記胴体部の下に重ね着され、前記胴体部と同じ素材、又は同じ柄の袖１を付けたアンダーシャツとからなる袖部分離式衣服セット。【選択図】図１
0003194478.tif 000002
【実用新案登録請求の範囲】
【請求項１】
袖無しの衣服（胴体部）と、その袖を付けたアンダーシャツに分離して衣服を製造する。
【考案の詳細な説明】
【考案の詳細な説明】
【技術分野】
【０００１】本考案は、長さの異なる袖部を複数のアンダーシャツに取り付けて袖の長さを調整する衣服の製造方法に関する。
【背景技術】
【０００２】従来の衣服の袖の調整技術としては、分離された袖部を胴体部の衣服へボタンなどで付け外したりする方法や、その他一般的な重ね着もある。
【考案が解決しようとする課題】
【０００３】分離された袖部を胴体部の衣服にボタンなどで付け外したりする方法の場合、取り付けが面倒であり、接合部の隙間から風が入ってきたり、ボタン類の突起が肌に当たって違和感を感じるなどの問題点がある。また一般的な重ね着の場合は、袖部の布が異なっていることで一体的に見えない。
【課題を解決するための手段】
【０００４】本考案は、袖無しの胴体部（ノースリーブ）と、袖を付けたアンダーシャツの袖部に分離して製造し、それらを重ね着する。
【考案の効果】
【０００５】▲１▼アンダーシャツに取り付ける袖は、袖無しの胴体部（ノースリーブ）と同じ素材や同じ柄など一体的なデザインが考慮され、重ね着には見えず一体の服として成立する。
▲２▼アンダーシャツは、袖の長さの季節に応じた素材・形・色を使用することで、別途肌着を着る必要を無くし、不要な厚着を解消することが出来る。
▲３▼半袖、長袖、７部袖など様々な袖の長さのアンダーシャツと組み合わせることで、季節を問わず着用できる。
【図面の簡単な説明】
【０００６】
【図１】  分離された半袖の袖を付けたアンダーシャツの例
【図２】  分離された長袖の袖を付けたアンダーシャツの例
【図３】  袖無しの胴体部（ノースリーブ）の衣服の例
【図４】  胴体部の衣服と半袖のアンダーシャツの重ね着した例
【図５】  胴体部の衣服と長袖のアンダーシャツの重ね着した例
【考案を実施するための形態】
【０００７】▲１▼図３の袖無しの胴体部（ノースリーブ）と、図１、図２の袖を付  けたアンダーシャツの袖部に分離して製造する。
▲２▼図３の袖無しの胴体部（ノースリーブ）の衣服と、図１、図２の袖を付けたアンダーシャツを重ね着すると、図４、図５の衣服になる。
【実施例１】
【０００８】図４の半袖の女性用ワンピース
【実施例２】
【０００９】図５の長袖の女性用ワンピース
【産業上の利用可能性】
【００１０】ノースリーブのみの着用もできて、半袖、長袖、７部袖など様々な袖の長さのアンダーシャツと組み合わせることで、コストを抑えて何着分もの価値を生み出す。
【符号の説明】
【００１１】１      半袖
２      半袖の肌着部分で、素材は春、夏用。
３      長袖
４      長袖の肌着部分で、素材は秋、冬用。
５      袖無しの胴体部の衣服（ノースリーブ）の一例
６      図１と図３を重ね着した半袖の衣服の一例。
７      図２と図３を重ね着した長袖の衣服の一例。
【図１】
0003194478.tif 000003
【図２】
0003194478.tif 000004
【図３】
0003194478.tif 000005
【図４】
0003194478.tif 000006
【図５】
0003194478.tif 000007
【手続補正書】
【提出日】平成26年9月20日(2014.9.20)
【手続補正１】
【補正対象書類名】実用新案登録請求の範囲
【補正対象項目名】全文
【補正方法】変更
【補正の内容】
【実用新案登録請求の範囲】
【請求項１】
袖無しの胴体部と、前記胴体部の下に重ね着され、前記胴体部と同じ素材、又は同じ柄の袖を付けたアンダーシャツとからなる袖部分離式衣服セット
(57)【要約】      （修正有）【課題】食品の販売・保管時等に使用者と周囲の安全を確保できるワイヤーすのこを提供する。【解決手段】すのこを構成する線状の２つの部材の左右の端部を輪状の形状にして枠に止めるようにする。複数の左右を輪状にした部材をすのこの外枠に取り付け、すのこを構成する。こうすることで切断面が表に出ないので安全である。又従来品は両端１か所で枠に留めていたが、２か所で留めるので、強度的も従来品に比べ優れる。【選択図】図２
0003194425.tif 000002
【実用新案登録請求の範囲】
【請求項１】
棒状の線材ではなく、環状の部材を使用することで、使用者が負傷することなく
安全に使用できるワイヤーすのこ。
【考案の詳細な説明】
【技術分野】
【０００１】
この考案はワイヤーすのこに関する。
【背景技術】
【０００２】
ワイヤーすのこは、食品（パンやケーキ）の販売店や製造工場で商品の陳列や
焼きあがった商品を保管するのに使用されている。
【０００３】
ところで、従来のすのこは棒状の細い線材を両端で止める構造である。
【０００４】
商品をすのこの上に載せたまま、すのこを移動させることが多々ある、
その際はすのこの両端を持って、移動させるのが一般的である。
【考案の概要】
【考案が解決しようとする課題】
【０００５】
上述したような構造な為、使用者が両端の切断面に手を触れた場合、
手を負傷する場合がある。
【０００６】
また、すのこを移動する際、他の場所に当ててしまい、当たった物を破損させてしまい、さらにはすのこ自体も破損させてしまうという問題も生じる。
【課題を解決するための手段】
【０００７】
請求項１に記載の考案は、線状ではなく、輪状にした部材である
【０００８】
請求項１に記載の考案によれば、輪状の部材を両端で止めているので、切断面が表面に出てこないので、使用者が切断面に触れて負傷することなく、安全に使用できる。
又、従来は１点で部材を固定していたが、２点で固定するので、強度も強くなっている。
【図面の簡単な説明】
【０００９】
【図１】従来からあるワイヤーすのこ。
【図２】この考案に係るワイヤーすのこ。
【図１】
0003194425.tif 000003
【図２】
0003194425.tif 000004
(57)【要約】      （修正有）【課題】短くなり削れなくなった、手で持つことができなくなった鉛筆を最後まで使用できる鉛筆の補助軸を提供する。【解決手段】軸部１の長手方向の一端に係合部２を設けた鉛筆と、補助軸基部４の長手方向の一端に相手部材との接続部が設けられ、その接続部では長手方向の先端側には円柱状の挿入部５，基端側は外周に挿入部外径よりも大きい雄ねじ６が切られていることを特徴とする。【選択図】図３
0003194422.tif 000002
【実用新案登録請求の範囲】
【請求項１】
軸部の長手方向の一端に係合部を設けた鉛筆と、補助軸基部の長手方向の一端に相手部材との接続部が設けられ、その接続部では長手方向の先端側には円柱状の挿入部，基端側は外周に挿入部外径よりも大きい雄ねじが切られている補助軸
【考案の詳細な説明】
【技術分野】
【０００１】
本考案は、短くなり削れなくなった、手で持つことができなくなった鉛筆を最後まで使用するための機構である。
【背景技術】
【０００２】
短くなった鉛筆を持ち易くするための装置は、鉛筆基端部に外周よりスリットの入った円筒状の補助軸をはめ込み、ナットにより鉛筆を締付け固定する方式が一般的に知られている。さらに、短くなった鉛筆を削るためには、本体に錐とねじ部を備え、錐で穴を開けそこへ木ねじの固定された補助軸を取り付け固定する方法（技術文献１参照）などが考案されている。
【先行技術文献】
【特許文献】
【０００３】
【特許文献１】実開平６−２４９８６号広報
【考案の概要】
【考案が解決しようとする課題】
【０００４】
しかし、鉛筆を固定するために鉛筆基端部の外周を補助軸が覆う構造では、電動または手動の鉛筆削り機の差込口に干渉するため、補助軸より外さない限り鉛筆を削ることはできない。また、さらに短くなると削り動作時の保持や、補助軸による外周からの固定が困難になり、使用する事ができなくなる。さらに、鉛筆に木ねじがついた補助軸を取付ける方法は、同軸上に正確に取付けることが難しく、根元までねじ込むには一定以上の力が必要であった。加えて、接続部での折れ曲がりを防ぐためには一定の長さの木ねじが必要となるが、その木ねじを最後まで締め付けると、鉛筆基端部の穴径よりも大きなねじ山が穴の奥まで達するため、接着してある鉛筆軸基端部の木材部分が裂けて破損してしまうという問題もあった。また、先端が尖っているため怪我などの事故が起こる危険性もあった。
【課題を解決するための手段】
【０００５】
鉛筆の軸部の長手方向の一端に鉛筆芯の替わりに係合部を設け、補助軸は柱状の基部の長手方向の一端に，鉛筆との接続部を設ける。その接続部では長手方向の先端側に円柱状の挿入部，基端側は外周に挿入部外径よりも大きい雄ねじが切られている。
【考案の効果】
【０００６】
以上の手段により，接続部が鉛筆軸の直径よりも大きくなることがなく、鉛筆軸の側面部がすべてテーパ状に削られるまで、補助軸から取外すことなく電動または手動鉛筆削り機でも削ることができる。また，鉛筆係合部へ補助軸挿入部を差込むことで、両者の位置決めを容易に行うことができる．さらに，補助軸ねじ部は鉛筆係合部の基端部付近でのみねじ込まれるため、少ない力で接続が可能になり鉛筆の木材部が裂けることも防止できる。加えて、補助軸の接続部は先端が木ねじではなく円柱状になっているため、尖った先端部で怪我をするなどの事故が発生しづらく安全性も高くなる。
【図面の簡単な説明】
【０００７】
【図１】本考案の未使用時の補助軸側面図である。
【図２】本考案の挿入部差込時の補助軸側面図である。
【図３】本考案の使用時の補助軸側面図である。
【考案を実施するための形態】
【０００８】
以下、本考案の実施の形態について説明する
【０００９】
図１は、本考案の補助軸未使用時の側面図である。
鉛筆軸部（１）の長手方向の一端に鉛筆芯（３）の替わりに鉛筆係合部（２）を設け、柱状の補助軸基部（４）の長手方向の一端に，鉛筆との接続部が設けられている。接続部は長手方向の先端側には円柱状の挿入部（５）側は外周に挿入部外径よりも大きい雄ねじが切られているねじ部（６）からなる。接続部は柱状の補助軸基部（４）に固定されており，挿入部（５）は鉛筆軸係合部（２）に整合する外形形状になっている．
【００１０】
図２は補助軸挿入部差込時の側面図である。使用時にはまず挿入部（５）を鉛筆係合部（２）に差込む。挿入部（５）は鉛筆係合部（２）に対し引っかかりがなく、容易に挿入が可能で鉛筆と補助軸の位置決めもする事が出来る。挿入してねじ部（６）まで当たったときに相対的に回転しねじ込んで行く．そうすると穴の内径よりも雄ねじの外径が大きいので鉛筆係合部（２）にねじ込まれ、柱状の補助軸基部（４）の上側に当たった時点で止まる。
【００１１】
図３は補助軸使用時の側面図である。挿入部（５）から補助軸基部上側まで鉛筆係合部（２）との接触部が確保されているため，補助軸に対して鉛筆が傾くことはない
【符号の説明】
【００１２】
１ 鉛筆軸部
２ 鉛筆係合部
３ 鉛筆芯
４ 補助軸基部
５ 挿入部
６ ねじ部
【図１】
0003194422.tif 000003
【図２】
0003194422.tif 000004
【図３】
0003194422.tif 000005
【手続補正書】
【提出日】平成26年10月9日(2014.10.9)
【手続補正１】
【補正対象書類名】明細書
【補正対象項目名】０００９
【補正方法】変更
【補正の内容】
【０００９】
図１は、本考案の補助軸未使用時の側面図である。鉛筆軸部（１）の長手方向の一端に鉛筆芯（３）の替わりに鉛筆係合部（２）を設け、柱状の補助軸基部（４）の長手方向の一端に，鉛筆との接続部が設けられている。接続部は長手方向の先端側には円柱状の挿入部（５），基端側は外周に挿入部外径よりも大きい雄ねじが切られているねじ部（６）からなる。接続部は柱状の補助軸基部（４）に固定されており，挿入部（５）は鉛筆軸係合部（２）に整合する外形形状になっている．
(57)【要約】      （修正有）【課題】人体の胸上に於いて輝きを放すことを主とするものであり、極小の半貴石を中央に有する半貴石を、連設して構成した煌くネックレスを提供する。【解決手段】上面が平面であり、４面構成の多面的表面カット１７した極小の半貴石を、美石１２の表裏の中央の窪み１５１，１５２に固着して構成した半貴石を、Ｃカンを介入して連設してなる煌くネックレス。【選択図】図３
0003194481.tif 000002
【実用新案登録請求の範囲】
【請求項１】
上面が平面であり、４面構成の多面的表面カットした極小の半貴石を、表裏の中央の窪みに固着して構成した
0003194481.tif 000003
【考案の詳細な説明】
【技術分野】
【０００１】本考案は、人体首部に美的感覚のネックレスに、一瞬間、輝きを放す事を目的とする。
【先行技術文献】
【実用新案文献】
【０００２】
【実用新案文献１】
実用新案３１８１８７５号公報
【実用新案文献２】
実用新案３１８９５０６号公報
【背景技術】
【０００３】とくに上記２件と関連するものである。【０００４】ネックレスは複数個の磁石を連結なして構成している。【０００５】前記連結は内部９ピン止めとＣカン接続である。【０００６】複数個の連設磁石の次に半貴石をＣカンにて接続してなる。
【考案の概要】
【考案が解決しようとする課題】
【０００７】人体左右肺の脈上に当たる半貴石を美く輝く事を目的とした。【０００８】本考案ネックレス使用時、半貴石が表裏半回転する事が多々ある。【０００９】着装時に於いて、左右一方の半回転は、嫌なイメージをする故に、これを解決する。【００１０】半貴石は、ガラス加工またはアクリル樹脂成型で構成されている故に、色彩変化が少ない。【００１１】観る方角により半貴石中央が煌く事を目的とする。【００１２】表裏を有する半貴石の中央に、極小なる半貴石を埋込んでなる。【００１３】且つ、表裏の極小半貴石の色彩を異色彩にて構成し、美感を得ようとするものである。
【課題を解決するための手段】
【００１４】付随するネックレス主体は、実用新案３１８９５０６号と同一である。【００１５】本考案要件を設明すれば、半貴石の透孔を貫通保持したＣカンと磁石の中央を貫通保持（カしめる）した９ピンをＣカン接続する。【００１６】半貴石のＣカンと半貴石のＣカンをＣカンにて接続保持してなる。【００１７】本考案要部を説明すれば、半貴石の表裏の中央に、窪みを設けて、極小の半貴石を固着してなる。【００１８】尚、香りを提供する実用新案３１８１８７５号は、本考案のネックレスと一体である。
【実施例】
【００１９】人体１の首前面に掛けた本考案ネックレスはオペラ２（７０ｃｍ〜８０ｃｍ）である。【００２０】全体は、磁石３・４・・・をＣカン５１・５２・・・にて連設した磁気ネックレスであり、途中に於いて半貴石６・７・８・・・を施して成るも、最下端にペンダントトップ９を設けた。【００２１】磁石３の中央に長手方向透孔１０を設け、９ピン１１を貫通保持する。【００２２】ガラス加工又はアクリル樹脂加工された美石１２の上下処の横透孔１３１・１３２にＣカン１４１・１４２を貫通保持してなる半貴石６を連設する。【００２３】美石１２の表裏の中央に巾約２ＭＭ・深さ約２ＭＭの窪み１５１・１５２を設ける。【００２４】窪みに極小（１、８ＭＭ）位の半貴石１６１・１６２を接着剤にて固着する。
【考案を実施するための最良の形態】
【００２５】本考案要部の極小の半貴石の形態を説明すれば、多面的表面カット１７を成している。【００２６】最上部は平面１８である。【００２７】表面カットは４面構成である。【００２８】本考案の一実施例は上述の如き構成からなるものであるから、太陽光の反射の煌きが一段と冴え渡る。
【符号の説明】
【００２９】１    人体
２    オペラ
３    磁石
４    磁石
５    Ｃカン
６    半貴石
７    半貴石
８    半貴石
９    ペンダントトップ
１０  長手方向透孔
１１  ９ピン
１２  美石
１３  横透孔
１４  Ｃカン
１５  窪み
１６  半貴石
１７  多面的表面カット
１８  平面
【考案の効果】
【００３０】本考案ネックレスは胸元が貴石の輝きと極小貴石の煌きにより心地良い精神が得られる。
【００３１】同時に実用新案３１８１８７５号と一体化すると、弱少の香水の香りがする故に清清しい、気分が倍増する。
【００３２】実用新案３１８９５０６号の磁気ネックレスと一体である故に、磁気の効果が期待出来る。
【００３３】特に本考案は女性の胸元を麗しく飾る事が出来る。
【図面の簡単な説明】
【００３４】
【図１】本考案の全体を示す正面図。
【図２】半貴石の連結を示す図である。
【図３】本考案要部にて極小半貴石を固着。尚、表面カットを表現した図である。
【図１】
0003194481.tif 000004
【図２】
0003194481.tif 000005
【図３】
0003194481.tif 000006
【手続補正書】
【提出日】平成26年9月1日(2014.9.1)
【手続補正１】
【補正対象書類名】実用新案登録請求の範囲
【補正対象項目名】全文
【補正方法】変更
【補正の内容】
【実用新案登録請求の範囲】
【請求項１】
上面が平面であり、４面構成の多面的表面カットした極小の半貴石を、美石の表裏の中央の窪みに固着して構成した半貴石を、Ｃカンを介入して連設してなる煌くネックレス。
(57)【要約】      （修正有）【課題】緊急用非常照明として使用するうえで、設置場所を完全暗黒下でも容易に発見し、迅速に室内の暗黒状況の回避を可能とするプッシュライトを提供する。【解決手段】１５ｃｍ〜２０ｃｍ程度のドーム形状を成し、点灯スイッチと連動した光拡散レンズ面を本体側に押し付けることにより、本体に内蔵した乾電池等を電源としたＬＥＤライトが点灯するプッシュライトにおいて、台座部分の一部または全部、または台座部分以外の本体部分に、高輝度蓄光性素材１を使用した。プッシュライトを平常時より明光下に置くことにより、蓄光素材が自家発光し、完全暗黒下でも容易に設置場所を探知することが可能となる。【選択図】図１
0003194486.tif 000002
【実用新案登録請求の範囲】
【請求項１】
既存品であるところの流通通称プッシュライト（１５ｃｍ〜２０ｃｍ程度のドーム形状を成し、点灯スイッチと連動した光拡散レンズ面を本体側に押し付けることにより、本体に内蔵した乾電池等を電源としたＬＥＤライトが点灯するもの）において、改良点として台座部分に高輝度蓄光性素材を使用することにより、平常時より明光下に置くことにより、緊急暗黒状況下での発見を容易とし、緊急用光源としての有用性を飛躍的に高めたプッシュライト。
【請求項２】
前項の目的のために、台座部分の一部または全部、および台座以外の部分に蓄光性素材を使用したもの、台座部分に蓄光性の粘着性テープ等を貼り付けたもの、台座部分を透明素材で作成し、裏面に蓄光性塗料を塗布したプッシュライト。
【考案の詳細な説明】
【技術分野】
【０００１】本考案は、既存品であるところの流通通称「プッシュライト」（１５ｃｍ〜２０ｃｍ程度のドーム形状を成し、点灯スイッチと連動した光拡散レンズ面を本体側に押し付けることにより、本体に内蔵した乾電池等を電源としたＬＥＤライトが容易に点灯するもの）の改良に関するものである。
【背景技術】
【０００２】
【先行技術文献】
【特許文献】
【０００３】
【考案の概要】
【考案が解決しようとする課題】
【０００４】夜間の停電等による暗黒状況下での緊急光源としては、一般家庭、会社、事業所等においてフラッシュライト等が一般的に採用される事が多いが、緊急避難袋関連製品と一緒に保管される事が多く、緊急光源としての汎用性に乏しい。また長期間使用することがない場合保管場所を失念したり、また内蔵電池の寿命、液漏れ等により使用できない可能性も低くは無い。
【課題を解決するための手段】
【０００５】ブッシュライトの台座部分の全部または一部を、製品段階で蓄光性素材に置き換え、明光下に常時置くことにより、暗黒時に自ら発光することによりその存在を容易に知らしめ、あらゆる場所において緊急用光源の探索を容易とし、既存製品同様の簡便な操作によって迅速に暗黒状況からの回復を可能となる。【０００７】蓄光性素材には、時間的な光減衰率が高くても、初期発光性能のよいものを選択すべきである。
【考案の効果】
【０００８】緊急時の光源を予め一般家庭、会社、事業所等の各壁面、卓上といった明光下に常時配置しておくことにより、突然の暗黒状況においても、万人が冷静かつ沈着にブッシュライトを発見、緊急光源を確保可能となる。
【図面の簡単な説明】
【０００９】
【図１】は上面斜図である。「２．光拡散レンズ兼ＯＮ／ＯＦＦスイッチ」を垂直押し下げでスイッチが入り、もう一度の垂直押し下げでスイッチが切れる垂直押し下げでスイッチが入り、もう一度の垂直押し下げでスイッチが切れる。「１．高輝度蓄光素材製部材リング」が「３．本体側面カバー」の上面外周を取り巻き、明光下で蓄光し発光する。
【図２】は下面斜図である。「４．脱着式乾電池等格納蓋」を装備し、乾電池等の取替え時に取り外す。脱着式乾電池等格納蓋の脱着は１本の可動爪を指先で操作することにより行い、工具そのほかを必要としない。脱着式乾電池等格納蓋の装着は、２本の固定爪を定位置において、脱着式乾電池等格納蓋を本体側に軽く圧着することによって完了する。
【考案を実施するための形態】
【００１０】本体台座上にはドーム形状の無色透明素材のプラスチック製拡散レンズを装備し、同時に拡散レンズの垂直押し下げでスイッチが入り発光する、もう一度の垂直押し下げでスイッチが切れ発光を止める。
【００１１】電源は乾電池等の汎用電池とし、電池交換可能な蓋を本体底面にもつ。
【００１２】光源はＬＥＤとし、本体と拡散レンズ内部の空隙に配置する。
【００１３】電気回路配線等は本体台座部分に内蔵する。
【符号の説明】１．高輝度蓄光素材製リング
２．光拡散レンズ兼ＯＮ／ＯＦＦスイッチ
３．本体側面カバー
４．脱着式乾電池等格納蓋
【図１】
0003194486.tif 000003
【図２】
0003194486.tif 000004
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
１５ｃｍ〜２０ｃｍ程度のドーム形状を成し、点灯スイッチと連動した光拡散レンズ面を本体側に押し付けることにより、本体に内蔵した乾電池等を電源としたＬＥＤライトが点灯する、既存品であるところの流通通称プッシュライトにおいて、台座部分の一部または全部、または台座部分以外の本体部分に、高輝度蓄光性素材を使用したことを特徴とするプッシュライト。
(57)【要約】      （修正有）【課題】ルアーのフックと釣り糸の干渉を回避できるフック格納装置を提供する。【解決手段】ルアー本体１の外部にフック２と隣接して取り付けられたフック格納装置３であって、ルアー本体１との取付位置とは反対側にフック２が着脱可能となるような切り込みが形成されたことを特徴とする。【選択図】図１
0003194484.tif 000002
【実用新案登録請求の範囲】
【請求項１】
ルアーのフックを格納する装置。
【請求項２】
前記フックを格納する装置は、ルアーの外部に取り付けられ、使用するフックの種類と大きさを許容する。十分に柔軟性を持ち、容易にフックの脱着が可能なフック格納装置。
【考案の詳細な説明】
【技術分野】
【０００１】  この発明は、ルアー（釣具）に関する。
【背景技術】
【０００２】  通常のルアーでは腹部と尾部にフックが自由に動く様に取り付けられている。
【先行技術文献】
【特許文献】
【０００３】
【特許文献１】特開２００８−３５７１１号公報
【特許文献２】特開２００９−１７８１１５号公報
【非特許文献】
【０００４】
【考案の概要】
【考案が解決しようとする課題】
【０００５】  しかしながら、従来の技術では使用中に腹部のフックと釣り糸が絡み、ルアーとしての機能を著しく損ねる。  そこで、この発明は、フックと釣り糸の干渉を回避する技術を提供することを課題とする。
【課題を解決するための手段】
【０００６】  以上の課題を解決するために、第一発明と第二発明は、フックとルアーに相対する構造を持つことを特徴とするルアーである。
【考案の効果】
【０００７】  第一発明、または第二発明によれば、フックが固定される事により、根掛かりとルアーのアクション性と消音性に効果がある。
【図面の簡単な説明】
【０００８】
【図１】この考案の一実施形態を示す斜視図、及び詳細図である。
【図２】従来技術を示す正面図である。
【図３】従来技術を示す正面図である。
【考案を実施するための形態】
【０００９】  この考案の一実施形態を、図１に示す。
ルアーとは別体の構造を有し、多様なルアーに装着可能であり、また多様なフックに対応可能である。
【００１０】「実施形態の効果」
この実施形態によれば、使用時には容易にフックを格納することが可能であり、その状態では釣り糸とフックの干渉を防ぐ事ができる。そして、魚が掛かった際にはその外力により図１断面図２の矢印に示す通りフックを開放し、フックの動きを妨げない。
【符号の説明】
【００１０】１  ルアー本体            ２  フック
３  フック格納装置
【図１】
0003194484.tif 000003
【図２】
0003194484.tif 000004
【図３】
0003194484.tif 000005
【手続補正書】
【提出日】平成26年9月1日(2014.9.1)
【手続補正１】
【補正対象書類名】実用新案登録請求の範囲
【補正対象項目名】全文
【補正方法】変更
【補正の内容】
【実用新案登録請求の範囲】
【請求項１】
ルアー本体（１）の外部にフック（２）と隣接して取り付けられたフック格納装置（３）であって、前記ルアー本体（１）との取付位置とは反対側に前記フック（２）が着脱可能となるような切り込みが形成されたことを特徴とする、フック格納装置（３）。
(57)【要約】      （修正有）【課題】丸形の印鑑の左右に目印線を付けることによって捺印の際の利き腕に関係なく、誰でも印面を真っ直ぐに捺せる印鑑を提供する。【解決手段】印面３から見て、印面頂部と印面下部に対し左右中心にあたる位置に、それぞれ目印線位置２を印柱１の頂部より３．０ｍｍ〜５．０ｍｍの長さだけつけてなる印鑑或いは、前記印鑑によって、誰でも容易に真っ直ぐ押せる印鑑を構成している。【選択図】図３
0003194482.tif 000002
【実用新案登録請求の範囲】
【請求項１】
印面（３）から見て、印面頂部と下部に対し左右中心にあたる位置を印柱（１）の頂部より（２）の目印線を３．０ｍｍ〜５．０ｍｍつけてなる印鑑
【請求項２】
印面（３）から見て、印面頂部と下部に対し左右中心にあたる位置を印柱カバー（４）の頂部より（２）の目印線を３．０ｍｍ〜５．０ｍｍつけてなる印鑑
【考案の詳細な説明】
【技術分野】
【０００１】本考案は、丸形の印鑑に特定の目印線を付けることによって捺印の際の利き腕に関係なく、印面を真っ直ぐに捺すことを容易にする印鑑に関するものである。
【背景技術】
【０００２】従来、丸形の印鑑を真っ直ぐに捺印する方法として印柱の下部または、上部に目印や指示棒をつけるものがある。【０００３】しかしながら、丸形の印鑑を捺印するときには通常は人差し指を印柱上部に、親指を下部に添えて捺印するのが大体の人の方法であり、上部及び下部の印や指示棒では指に隠れて目視では印を確認できないため、真っ直ぐに押し難いという欠点があった。
【先行技術文献】
【特許文献】
【０００４】
【特許文献１】無し
【非特許文献】
【０００５】
【非特許文献１】登録実用新案第３０６５４８５号  公報
【非特許文献２】登録実用新案第３０７９５２５号  公報
【非特許文献３】登録実用新案第３０６３６２９号  公報
【考案の概要】
【考案が解決しようとする課題】
【０００６】本考案は、以上のような欠点に鑑み、印柱の上下部ではなく左右に目印をつけることによって、添えた指に印が隠れてしまわずに誰でも容易に真っ直ぐに捺せる印鑑を提供する事を目的としている。【０００７】また、左右に印をつけることによって利き腕に関係なく右側からも、また左側からも印の位置が確認できるので誰にでも真っ直ぐに押すことが容易になされるようにするものである。
【課題を解決するための手段】
【０００８】上記目的を達成するために、本考案は（請求項１の構成要件）とで誰でも容易に真っ直ぐに捺せる印鑑を構成している。
【考案の効果】
【０００９】以上の説明から明らかなように、本考案にあっては次に列挙する効果が得られる。
１、印面（３）から見て、印面頂部と下部に対し左右中心にあたる位置を印柱（１）の頂部より（２）の目印線を３．０ｍｍ〜５．０ｍｍつけてなる印鑑とで構成されているので、誰にでも真っ直ぐに押すことができる。【００１０】２、前記１、の構成によって添えた指に印が隠れてしまわずに利き腕に関係なく右側からも、また左側からも印の位置が確認できる。【００１１】３、請求項２にも前記１、２と同様な効果が得られる。
【図面の簡単な説明】
【００１２】
【図１】本考案の丸形印柱を横から見た目印線位置図である。
【図２】本考案の丸形印柱の印面から見た目印線位置図である。
【図３】本考案の丸形印柱の概念図である。
【図４】本考案の楕円形印柱を横から見た目印位置図である。
【図５】本考案の楕円形印柱の印面から見た目印位置図である。
【図６】本考案の楕円形印柱の概念図である。
【図７】本考案のインキ浸透型印柱を横から見た目印位置図である。
【図８】本考案のインキ浸透型印柱の印面から見た目印位置図である。
【図９】本考案のインキ浸透型印柱の概念図である。
【図１０】本考案の捺印方法の説明図である。
【考案を実施するための形態】
【００１３】以下、本考案の実施の形態を図に基づいて説明する。
【実施例】
【００１４】図１は、本考案の実施例の丸形印柱を横から見た図であって、印柱に対して目印線をつける位置を表したものである。【００１５】図２は、本考案の実施例の丸形印柱を印面から見た目印線をつける位置を表したものである。【００１６】図３は、本考案の実施例の丸形印柱の目印線の位置を表した概念図である。【００１７】図４は、本考案の実施例の楕円形印柱を横から見た図であって、印柱に対して目印線をつける位置を表したものである。【００１８】図５は、本考案の実施例の楕円形印柱を印面から見た目印線をつける位置を表したものである。【００１９】図６は、本考案の実施例の楕円形印柱の目印線の位置を表した概念図である。【００２０】図７は、本考案の実施例のインキ浸透型印柱を横から見た図であって、印柱に対して目印線をつける位置を表したものである。【００２１】図８は、本考案の実施例のインキ浸透型印柱を印面から見た目印線をつける位置を表したものである。【００２２】図９は、本考案の実施例のインキ浸透型印柱の目印線の位置を表した概念図である。【００２３】図１０は、本考案の実施例の指を添えた捺印方法を表した説明図である。
【産業上の利用可能性】
【００２４】本考案は、印鑑を誰でも容易に真っ直ぐに捺せる方法として印鑑を製造する産業や一般消費者に利用される。
【符号の説明】
【００２５】（１）印柱
（２）目印線位置
（３）印面
（４）印柱外カバー
（５）刻印中心位置
（６）親指
（７）人差し指
【図１】
0003194482.tif 000003
【図２】
0003194482.tif 000004
【図３】
0003194482.tif 000005
【図４】
0003194482.tif 000006
【図５】
0003194482.tif 000007
【図６】
0003194482.tif 000008
【図７】
0003194482.tif 000009
【図８】
0003194482.tif 000010
【図９】
0003194482.tif 000011
【図１０】
0003194482.tif 000012
【手続補正書】
【提出日】平成26年9月3日(2014.9.3)
【手続補正１】
【補正対象書類名】実用新案登録請求の範囲
【補正対象項目名】全文
【補正方法】変更
【補正の内容】
【実用新案登録請求の範囲】
【請求項１】
丸形印鑑や楕円形印鑑の印面（３）から見て、印面頂部と印面下部に対して左右中心にあたる位置に、それぞれ、目印線位置（２）を、印柱（１）の頂部より３．０ｍｍ〜５．０ｍｍの長さだけつけた印鑑
【請求項２】
インキ浸透型印鑑の印面（３）から見て、印面頂部と印面下部に対して左右中心にあたる位置に、それぞれ、目印線位置（２）を、印柱（１）の頂部より３．００ｍｍ〜５．００ｍｍの長さだけつけた印鑑
(57)【要約】      （修正有）【課題】自閉症者の余暇支援手段として、彼らの障害特性である“こだわり”を和らげてより広く・深く楽しめる２重螺旋両面型嵌めパズルを提供する。【解決手段】型嵌めパズルの切断線を蚊取り線香のような２重螺旋状切断線９と螺旋の中心付近からの放射状線切断線１０とする。更に、パズルの絵柄と同じ絵柄をガイドシートとして用いる。【選択図】図１
0003194765.tif 000002
【実用新案登録請求の範囲】
【請求項１】
コア材の片面に絵柄シートを貼り付けた片面パズルシートを用い、２重螺旋と螺旋中心付近からの放射状線で切断した型嵌めパズル。
【請求項２】
請求項１において、コア材の表裏両面に別々の絵柄シートを貼り合わせた２重螺旋両面型嵌めパズル。
【請求項３】
前期請求項１．又は２に記載したものにおいて、パズル片に貼った絵柄と同一絵柄であり、且つ、パズル片切断線と同一の切断線を書き込んである絵柄シートをガイドシートとして底盤に設置した事を特徴とする２重螺旋型嵌めパズル。
【考案の詳細な説明】
【技術分野】
【０００１】本考案は、形状を２重螺旋とした、両面型嵌めパズルに関するものである。
【背景技術】
【０００２】  ジグソーパズルなどで一般的に知られている「型嵌めパズル」は大人から子供まで広く楽しめるゲームであり、児童の知育用玩具としても多種多様に用いられている。
これまでに考案者は、発達障害者（自閉症）の余暇支援として、各種形状のパズルを考案し提供している。自閉症者の一部には、その障害特性から優れた視覚性優位を示す人が多い一方で、強いこだわりを有する事から、新たな形状、絵柄への取り組みが難しい人がいる。そのため、取り組みへのこだわりを軽減させると共に、新たな楽しみへの広がりを狙えるパズルの考案が望まれる。
【先行技術文献】
【特許文献】
【特許文献１】  実用新案登録  第３０２５４９８号  公報
【０００３】「ジグソ−パズル」
【考案の概要】
【考案が解決しようとする課題】
【０００４】  考案者は、長年に亘る自閉症施設に勤務する間に余暇支援として、型嵌めパズルを利用しようと試行錯誤を行って来た。障害特性から優れた視覚性優位を示す人が多い自閉症者であるが、一部の人はその障害特性により同一の形状に強くこだわり、異なる形状への取り組みが不得手である。そこで、利用者が興味を示し、取り掛かり易い形状・絵柄等の検討を行うために、様々な異なった形状の型嵌めパズルを自作して提供してみた。
パズル片の切断線は正方形・長方形・レンガ積み形（段違い）・菱形・同心円形等を順次使って利用者の反応を確かめるが、これにより、多くの利用者がそれぞれのレベルに合わせたものを楽しむことが出来るに至った。
更に、障害特性であるこだわりを弛め、楽しみを増す基本的な必要条件である、「形状の理解が容易である」、「取り組み方が容易である」、「こだわりの軽減を図れる」、そして、「達成感を満たし、レベルアップしている実感を抱き楽しみに繋がること」を満たしたものを提供したいと考え今回の考案に至った。
【課題を解決するための手段】
【０００５】  本考案は、コア材の片面に絵柄シートＡを貼り付けた片面パズルシートを用い、２重螺旋と螺旋中心付近からの放射状線で切断して型嵌めパズルを作成したことを特徴とする。放射状線は直線でも曲線でもよく、通常、曲線は直線に比べゲームの難易度を上げる効果がある。パズルシートは厚紙の表面に絵柄を印刷したものでもよい。コア材はパズル片としたとき掴みやすい厚さであれば素材は限定する必要はない。またコア材は、小規模で自家製作する場合は、発砲ポリスチレンシートが絵柄との貼り合わせや切断が容易であり適している。
パズルの表面絵柄シートＡと同じ絵柄シートＡをガイドシートとしてパズルシート下面に配置する。ガイドシートにはパズルシート切断線を記入したものと記入しないものが使用できる。切断線を記入したものが入れないものより難易度は低く難易度段差を小さくする手段として利用できる。
両面型嵌めパズルの場合のガイドシートは、コア材の表面の絵柄シートＡ、裏面の絵柄シートＢと同じ絵柄シートとして用いる。この場合絵柄シートＡ、絵柄シートＢは両者を背中合わせに貼り付けても単独に用いても良い。貼り合わせたものは一体化しており使用時には便利である。
【考案の効果】
【０００６】  ２重螺旋は同心円と一見似ており、同心円に馴染んだ遊戯者の形状変化に対する抵抗感を低める効果があり、自然に達成度の高くなったものに取り組みやすくなった。また、ガイドシートを使用することにより、遊戯者が取り組む前に絵柄を記憶する負荷がなく、組み立てる時も、バラバラになったパズル片とガイドシートの部分的な絵柄のマッチングで組み立てが進められるため、高いレベルを意識させない効果がある。ガイドシートの使用により、組み立てを達成すると次の段階では、ガイドシートを使わない組み立てに挑戦することが出来る。更に、両面２重螺旋型嵌めパズルでは片面２重螺旋型嵌めパズルと形状は似ているが、渦巻きの方向が逆となり難易度が更に上がった物を提供することが可能となる。
即ち、同心円形状型嵌めパズル  ⇒２重螺旋片面型嵌めパズル＋ガイドシート  ⇒２重螺旋片面型嵌めパズル（ガイドシートなし）⇒２重螺旋両面型嵌めパズル＋ガイドシート  ⇒２重螺旋両面型嵌めパズル（ガイドシートなし）という難易度を少しずつ上げられる一連の型嵌めパズルシリーズを提供することが可能となった。
【図面の簡単な説明】
【０００７】
【図１】  本考案の２重螺旋両面型嵌めパズルＡ面の平面図。
【図２】  図１の断面図。
【図３】  ２重螺旋両面型嵌めパズルＢ面の平面図。
【考案を実施するための形態】
【０００８】  本考案の型嵌めパズルは市販されているジグソーパズルと同じように、絵柄を描いたパズルシートをパズル片に切断したものと、パズル片を並べる時はみ出さないように周囲を規制する枠を周囲に配置した枠板とで構成されている。
本考案をパズルの平面図（図１）及びその断面図（図２）によって形態を説明する。
図２に於いて、底板７と枠１を貼り合わせた物が枠板である。パズル片はコア材８の表面に絵柄シートＡ３と、裏面に絵柄シートＢ４を貼り付け切断線に沿って切り分けられたものである。底板７の上に、絵柄シートＡ３と同じ絵柄シートをガイドシートＡ５とし、絵柄シートＢ４と同じ絵柄シートをガイドシートＢ６として背中合わせにして、配置した。ガイドシートＡ５とガイドシートＢ６は通常は背中合わせに貼り合わせて使うのが使用上便利である。
図３に絵柄シートＢ４を上面にした２重螺旋両面型嵌めパズルＢ面の平面図を示す。これら２つの平面図を比較すると、２重螺旋の渦巻きの方向は図１と図３では逆になることが分かる。
【符号の説明】
【００１０】  １    枠
２    パズル片
３    絵柄シートＡ
４    絵柄シートＢ
５    ガイドシートＡ
６    ガイドシートＢ
７    底盤
８    コア材
９    ２重螺旋切断線
１０  放射線状切断線
【図１】
0003194765.tif 000003
【図２】
0003194765.tif 000004
【図３】
0003194765.tif 000005
(57)【要約】      （修正有）【課題】配管作業に於いて、既設配管支持材等を用いて配管を新設しようとする時に、簡単に、かつ、しっかりと配管を固定することが出来る配管固定金具を提供する。【解決手段】既設配管支持材８に配管固定金具１を押しボルト５を用いて取り付ければ、配管７をＵ字ボルト６を用いて固定する事が出来る。【選択図】図１
0003194764.tif 000002
【実用新案登録請求の範囲】
【請求項１】
切り欠きを有する溝形の板に、Ｕボルト用の穴を有する平板を設け、かつ押しボルト用のネジ付き穴を設けて、配管を配管支持材等に固定することが出来るように構成された配管固定金具。
【考案の詳細な説明】
【技術分野】
【０００１】  本考案は配管作業において、Ｕ字ボルトを使用して配管を固定するときの金具である。
【技術背景】
【０００２】  従来の工法では、山形鋼などの既設配管支持材等にＵ字ボルトを使って新たに配管を固定しようとする場合、その方法として既設配管支持材等にＵ字ボルト用の穴を開けたり、取付用金具を溶接したりする作業が発生して手間の掛るものである。又、既存の簡易の配管取付金具は吊り下げ形の物が多くて、配管を固定する物では無く、本考案の様に既設配管支持材等に接触させてしっかりと固定するものではない。
【先行技術文献】
【特許文献】
【０００３】
【考案の概要】
【考案が解決しようとする課題】
【０００４】  本考案は既設配管棚等に新たに配管を施工する時にその配管固定作業を容易にしようとする為の物である。
【課題を解決するための手段】
【０００５】  管を配管支持材等にＵ字ボルトで固定しようとするときに、本考案を配管支持材等に押しボルトを使って固定し、本考案のＵ字ボルト用穴を用いて配管をＵ字ボルトで固定すれば従来より容易に配管固定作業を施工することが出来る。
【考案の効果】
【０００６】  既存の構造物や建造物に配管を増設しようとする時に本考案を用いれば従来より短時間で施工する事が出来て工事費用の節減効果、工事時間の短縮効果を図る事が出来る。
【考案を実施するための形態】
【０００７】  以下、本考案の固定金具１を、図面に示す使用例に基ずいて具体的に説明する。
【０００８】  図１，図２は使用例であり、管７を配管支持材８にＵ字ボルト６を使用して固定するときに図のように、本考案である配管固定金具１を取り付け、Ｕ字ボルト用穴４を用いて管７をＵ字ボルト６で固定する。
【図面の簡単な説明】
【０００９】
【図１】  本考案及び本考案の使用例を上部から見た斜視図である。
【図２】  本考案の使用例を下部から見た斜視図である。
【符号の説明】
【００１０】  １・・・・・・  本考案である配管固定金具
２・・・・・・  本考案を構成する溝形の部分
３・・・・・・  本考案を構成する穴あき板
４・・・・・・  本考案を構成するＵ字ボルト用穴
５・・・・・・  取付用  押しボルト
６・・・・・・  Ｕ字ボルト、ナット
７・・・・・・  管
８・・・・・・  配管支持材
【図１】
0003194764.tif 000003
【図２】
0003194764.tif 000004